(57)【特許請求の範囲】
【請求項１】
先端に向かうに従って互いに接近する２つのアームを有して、当該アームの相互間に形成された最小の隙間を押し開いて挿し込まれた固定部材に、揮散剤を収納する容器本体を吊り下げ保持する吊り下げ式揮散剤用容器であって、
アームの根元と先端との間に、アームの相互間に最小の隙間を形成する部分を配置して、当該部分から先端に至るまでの領域部分を外向きに延在させ、
アームの相互間に、固定部材の下端隅部を支持する折り返し部を有して固定部材をアームとの間で押圧する２つの弾性片を、折り返し部が互いに向かい合うように設けたことを特徴とする吊り下げ式揮散剤用容器。
【請求項２】
先端に向かうに従って互いに接近する２つのアームを有して、当該アームの相互間に形成された最小の隙間を押し開いて挿し込まれた固定部材に、揮散剤を収納する容器本体を吊り下げ保持する吊り下げ式揮散剤用容器であって、
アームの根元と先端との間に、アームの相互間に最小の隙間を形成する部分を配置して、当該部分から先端に至るまでの領域部分を外向きに延在させ、
アームの相互間に、固定部材の下端を支持する梁部を有して固定部材をアームとの間で押圧する弾性片を設けたことを特徴とする吊り下げ式揮散剤用容器。
【請求項３】
請求項１又は２において、容器本体は、揮散剤を配置する部材と、アームを有する部材とを有して、互いに向かい合せてその相互間に揮散剤の収納空間を形成するものであることを特徴とする吊り下げ式揮散剤用容器。
【請求項４】
請求項３において、揮散剤を配置する部材とアームを有する部材とが、異材質で構成されていることを特徴とする、吊り下げ式揮散剤用容器。
【請求項５】
請求項４において、揮散剤を配置する部材がポリエステル系樹脂で構成されていると共に、アームを有する部材がポリオレフィン系樹脂で構成されていることを特徴とする、吊り下げ式揮散剤用容器。
【請求項６】
請求項５において、揮散剤を配置する部材がポリエチレンテレフタレートで構成されていると共に、アームを有する部材がポリプロピレン又はポリエチレンで構成されていることを特徴とする、吊り下げ式揮散剤用容器。
【請求項７】
請求項３乃至６のいずれか１項において、揮散剤を配置する部材に、インジケータの収納空間を設けたことを特徴とする吊り下げ式揮散剤用容器。
【請求項８】
請求項７において、インジケータの収納空間を部材の側壁に設けたことを特徴とする吊り下げ式揮散剤用容器。
【請求項９】
請求項１乃至８のいずれか１項において、揮散剤が防虫剤であることを特徴とする、吊り下げ式揮散剤用容器。
【発明の詳細な説明】
【技術分野】
【０００１】
本発明は、先端に向かうに従って互いに接近する２つのアームを有して、当該アームの相互間に形成された隙間を通して挿し込まれた固定部材に、揮散剤を収納する容器本体を吊り下げ保持する吊り下げ式揮散剤用容器に関するものである。
【背景技術】
【０００２】
従来の吊り下げ式揮散剤用容器としては、例えば、ハンガーパイプ等の部材に対する取り付け易さを目的に、一方のアームに空洞を設けることで、アームの弾性力を高めたものがある（例えば、特許文献１参照）。
【先行技術文献】
【特許文献】
【０００３】
【特許文献１】特開２００７−７６６６９号公報
【発明の概要】
【発明が解決しようとする課題】
【０００４】
しかしながら、従来の吊り下げ式揮散剤用容器は、アームの先端が先細りの形状をしていることから、ハンガーパイプに通し難い場合があり、依然として改善の余地がある。
【０００５】
本発明の目的とするところは、固定部材に取り付け易い、新規な吊り下げ式揮散剤用容器を提供することにある。
【課題を解決するための手段】
【０００６】
本発明は、先端に向かうに従って互いに接近する２つのアームを有して、当該アームの相互間に形成された最小の隙間を押し開いて挿し込まれた固定部材に、揮散剤を収納する容器本体を吊り下げ保持する吊り下げ式揮散剤用容器であって、アームの根元と先端との間に、アームの相互間に最小の隙間を形成する部分を配置して、当該部分から先端に至るまでの領域部分が外向きに開くようにし、アームの相互間に、部材の下端隅部を支持する折り返し部を有して固定部材をアームとの間で押圧する２つの弾性片を、折り返し部が互いに向かい合うように設けたことを特徴とするものである。
【０００７】
本発明は、先端に向かうに従って互いに接近する２つのアームを有して、当該アームの相互間に形成された最小の隙間を押し開いて挿し込まれた固定部材に、揮散剤を収納する容器本体を吊り下げ保持する吊り下げ式揮散剤用容器であって、アームの根元と先端との間に、アームの相互間に最小の隙間を形成する部分を配置して、当該部分から先端に至るまでの領域部分を外向きに延在させ、アームの相互間に、部材の下端を支持する梁部を有して固定部材をアームとの間で押圧するアーチ状の弾性片を設けたことを特徴とするものである。
【０００８】
本発明によれば、容器本体は、揮散剤を配置する部材と、アームを有する部材とを有して、互いに向かい合せてその相互間に揮散剤の収納空間を形成するものとすることができる。この場合、揮散剤を配置する部材とアームを有する部材とを別体で構成できるため、互いをそれぞれ、異材質で構成することができる。この場合、揮散剤を配置する部材をポリエステル系樹脂で構成し、アームを有する部材をポリオレフィン系樹脂で構成することができる。更に、この場合、揮散剤を配置する部材をポリエチレンテレフタレートで構成し、アームを有する部材をポリプロピレン又はポリエチレンで構成することができる。
【０００９】
また、本発明に従えば、揮散剤を配置する部材に、インジケータの収納空間を設けることができる。この場合、インジケータの収納空間を部材の側壁に設けることができる。
【００１０】
本発明に係る、揮散剤としては、例えば、防虫剤、芳香剤、消臭剤や防黴剤などが挙げられる。
【発明の効果】
【００１１】
本発明は、アームの根元と先端との間に、アームの相互間に最小の隙間を形成する部分を配置して、当該部分から先端に至るまでの領域部分を外向きに延在させたことから、当該領域部分がハンガーパイプ等の固定部材に突き当たると、アームの相互間に形成された最小の隙間に固定部材を案内する。このため、固定部材に通し易い。
【００１２】
従って、本発明によれば、固定部材に取り付け易い、新規な吊り下げ式揮散剤用容器を提供することができる。
【図面の簡単な説明】
【００１３】
【図１】本発明である、吊り下げ式揮散剤用容器の一形態である、吊り下げ式防虫剤用容器の参考例を示す正面図である。
【図２】同形態を示す左側面図である。
【図３】同形態に係る、防虫剤シートを配置する部材を示す正面図である。
【図４】図３のＢ−Ｂ断面図である。
【図５】同形態に係る、アームを有する部材を示す正面図である。
【図６】図５のＣ−Ｃ断面図である。
【図７】本発明に従う吊り下げ式防虫剤用容器であって、防虫剤シートを配置する部材を示す正面図である。
【図８】本発明に従う吊り下げ式防虫剤用容器であって、防虫剤シートを配置する部材の他の例を示す正面図である。
【発明を実施するための形態】
【００１４】
以下、図面を参照して、本発明の一形態である、吊り下げ式防虫剤用容器を詳細に説明する。
【００１５】
図１は、本発明の参考例である、吊り下げ式防虫剤用容器１を示し、符号２は、容器本体である。容器本体２は、同図に示すように、その外観形状が横長の矩形であって、第１の部材（以下、「第１部材」）３と第２の部材（以下、「第２部材」）４とを、図２に示すように、向かい合せに合せることで形成される。
【００１６】
詳細には、第１部材３は、図３に示すように、第２部材４との合せ側に開口して防虫剤シートＳ1を配置する凹部３ｎが形成されている。凹部３ｎは、その輪郭を形作る周壁３ａと、この周壁３ａに沿って周回する膨出壁３ｂと、この膨出壁３ｂに取り囲まれる平側壁３ｃで形作られている。
【００１７】
平側壁３ｃには、凹部３ｎを外界に通じさせるための複数の開口部Ａ1が形成されている。また、平側壁３ｃには、複数の突起部３ｄが一体に設けられている。更に、平側壁３ｃには、複数の爪部３ｆ0が設けられている。爪部３ｆ0は、二点鎖線に示すように、突起部３ｄとの間に、防虫剤シートＳ1を保持する。なお、爪部３ｆ0の爪先直下には、図４等に示すように、開口部３ｈ0が形成されている。
【００１８】
また、膨出壁３ｂには、図３に示すように、複数の開口部Ａ1を取り囲むように、４つの爪部３ｆ1が設けられている。また、爪部３ｆ1の爪先直下にも、図４等に示すように、開口部３ｈ1が形成されている。なお、図２中、符号３ｅは、周壁３ａの端面であって、凹部３ｎの輪郭を形作る合せ端面である。
【００１９】
また、第１部材３は、図３に示すように、横方向（長手方向）の一方の周壁（側壁）３ａに、インジケータシートＳ2の収納部（以下、「インジケータ収納部」）５が設けられている。インジケータ収納部５は、周壁３ａと一体に設けられた隔壁５ａを有し、周壁３ａとの間に溝穴５ｂを形成する。溝穴５ｂは、同図に示すように、外界に通じる開口部Ａ2を有してインジケータシートＳ2の収納空間Ｒ2としてなる。これにより、インジケータシートＳ2は、同図に示すように、開口部Ａ2を通して収納空間Ｒ2内に挿し込むことができる。インジケータシートＳ2は、隔壁５ａに形成された開口部Ａ3を通して外部から視認することができる。
【００２０】
一方、第２部材４も、図５に示すように、第１部材３との合せ側に開口して防虫剤シートＳ1を配置可能な凹部４ｎが形成されている。凹部４ｎも、その輪郭を形作る周壁４ａと、この周壁４ａに沿って周回する膨出壁４ｂと、この膨出壁４ｂに取り囲まれる平側壁４ｃで形作られている。
【００２１】
図５中、符号４ｅは、周壁４ａの端面であって、凹部４ｎの輪郭を形作る合せ端面である。これにより、第１部材３と第２部材４とを向かい合せに合せると、その相互間に、防虫剤シートＳ1の収納空間Ｒ1を形成する。なお、第２部材４には、四隅に案内壁４ｇが設けられている。これにより、第１部材３は案内壁４ｇに合せて嵌め込むことで、その合せ端面３ｅを第２部材４の合せ端面４ｅに一致させることができる。
【００２２】
また、膨出壁４ｂには、図５に示すように、複数の開口部Ａ1を取り囲むように、４つの爪部４ｆ1が設けられている。爪部４ｆ1はそれぞれ、爪部３ｆ1を引っ掛けて係止することができる。これにより、第１部材３と第２部材４とを向かい合わせに合せることで、容器本体２を形成することができる。なお、爪部４ｆ1の爪先直下にも、図６等に示すように、開口部４ｈ1が形成されている。
【００２３】
また、平側壁４ｃにも、凹部４ｎを外界に通じさせるための複数の開口部Ａ1が形成されている。これにより、収納空間Ｒ1に配置された防虫剤シートＳ1の有効成分は、第１部材３及び第２部材４それぞれの開口部Ａ1から外界に揮散させることができる。
【００２４】
更に、平側壁４ｃには、複数の突起部４ｄが一体に設けられている。突起部４ｄはそれぞれ、第１部材３と第２部材４とを合せることで、第１部材３に設けた突起部３ｄと共に、収納空間Ｒ1に配置された防虫剤シートＳ1を挟み込んで固定保持する。これにより、突起部３ｄ，４ｄは、防虫剤シートＳ1の表面との接触面積を抑えつつ、防虫剤シートＳ1を固定保持することができる保持突起として機能する。
【００２５】
なお、突起部３ｄ，４ｄはそれぞれ、先細りした形状とすることができる。この場合、防虫剤シートＳ1との接触面積を更に抑えつつ、防虫剤シートＳ1を固定保持することができる。
【００２６】
また、第２部材４は、図５に示すように、縦方向（短手方向）の上側の周壁（上端壁）４ａに、横方向に間隔を空けて２つのアーム６が一体に設けられている。アーム６はそれぞれ、アーム本体６ａと、アーム本体６ａの輪郭に沿って延在する補強リブ６ｂとを有する。
【００２７】
また、アーム６はそれぞれ、同図に示すように、その根元６ｃから先端６ｄに向かうに従って互いに接近し、その内側には、ハンガーパイプ等の固定部材Ｍを収容する領域Ｘが形成されている。
【００２８】
更に、アーム６は、その根元６ｃと先端６ｄとの間に、アーム６の相互間に最小の隙間Ｓを形成する窄み部分６ｅを配置して、この窄み部分６ｅから先端６ｄに至るまでの領域部分６ｆを先端部分（以下、「先端部分６ｆ」）として外向きに延在させている。これにより、隙間Ｓを通して固定部材Ｍに挿し込むとき、先端部分６ｆが固定部材Ｍに突き当たると、この先端部分６ｆが隙間Ｓを固定部材Ｍまで案内する。このため、固定部材Ｍに通し易い。
【００２９】
従って、この参考例によれば、固定部材Ｍに取り付け易い、新規な吊り下げ式揮散剤用容器を提供することができる。なお、本形態では、窄み部分６ｅ及び先端部分６ｆはそれぞれ、図１等に示すように、湾曲した形状をしている。この場合、固定部材Ｍの案内に有効である。
【００３０】
また、この参考例によれば、第１部材３と第２部材４が別体に構成されている。このため、第１部材３と第２部材４をそれぞれ、異材質で構成すれば、第１部材３と第２部材４にそれぞれ、材質に応じた異なる機能を与えることができる。
【００３１】
例えば、防虫剤が常温揮散性ピレスロイドを含有するものである場合、第１部材３をポリプロピレン樹脂（以下、「ＰＰ樹脂」）やポリエチレン樹脂（以下、「ＰＥ樹脂」）で構成すると、その有効成分が第１部材３に吸収されてしまうため、防虫効果を長期に渡って持続させることができない。
【００３２】
そこで、防虫剤シートＳ1が配置される第１部材３を、常温揮散性ピレスロイドを吸着し難いポリエチレンテレフタレート樹脂（以下、「ＰＥＴ樹脂」）等のポリエステル系樹脂で構成すれば、防虫剤シートＳ1の有効成分が減少し難く、防虫効果を長期に渡って持続させることができる。
【００３３】
一方、第２部材４をポリエステル系樹脂で構成すると、ＰＥＴ樹脂等の硬度の高い材料を選択することになるので、第２部材４をハンガーパイプ等に引っ掛け難く、使い勝手がよくない。そこで、第２部材４を、比較的柔軟な材料であるポリプロピレン樹脂（以下、「ＰＰ樹脂」）やポリエチレン樹脂（以下、「ＰＥ樹脂」）等のポリオレフィン系樹脂で構成すれば、アーム６をハンガーパイプ等に引っ掛け易く、使い勝手がよい。
【００３４】
ところで、インジケータシートＳ2には、防虫剤シートＳ1と同様の有効成分（常温揮散性ピレスロイド）を含ませることで、常温揮散性ピレスロイドの揮散に従って、色彩を異ならせたり、「おしまい」等の文字を浮き出させて、防虫効果が失われていることを表示するように構成されている。
【００３５】
これに対し、本形態では、インジケータ収納部５を第１部材３に一体に設けている。この場合、インジケータシートＳ2は、第１部材３にのみ接触するため、その有効成分が第１部材３に吸着されることがない。従って、インジケータ収納部５を第１部材３と一体に設ければ、実際の防虫効果が失われるタイミングと、それを警告表示するタイミングにずれを生じ難く、適正なタイミングでの警告表示に有効である。
【００３６】
ところで、図１の符号Ｐに示すように、本形態では、固定部材Ｍに対して、２つのアーム６のみで、２点支持されているが、本発明では、アーム６の相互間に、弾性片を設けることとする。
【００３７】
図７は、第２部材４の他の形態である。なお、以下の説明において、上記参考例と同一部分は、同一符号をもって、その説明を省略する。
【００３８】
本形態は、同図に示すように、アーム６の相互間に、横方向に間隔を空けて２つの弾性片７が配置されている。２つの弾性片７はそれぞれ、その基部７ａが第２部材４と一体に設けられている。また、弾性片７は、同図に示すように、固定部材Ｍの下端隅部を支持する折り返し部７ｂを有し、この折り返し部７ｂが互いに向かい合うように設けられている。折り返し部７ｂは、同図に示すように、固定部材Ｍをアーム６との間で押圧する。これにより、同図の符号Ｐに示すように、本形態では、それぞれ２つのアーム６及び弾性片７の、４点で支持されることで、固定部材Ｍに対して吊り下げ支持される。
【００３９】
このように、固定部材Ｍをアーム６と弾性片７とで挟持できれば、容器本体２を固定部材Ｍに対して吊り下げるだけでなく、固定部材Ｍに対して揺れ動くことなく、安定した保持が可能となり、容器本体２の側壁に設けたインジケータシートＳ2を、常時視認し易くすることができる。
【００４０】
図８は、第２部材４の更に他の形態であり、第２の形態の変形例である。なお、以下の説明においても、他の形態と同一部分は、同一符号をもって、その説明を省略する。
【００４１】
本形態は、同図に示すように、アーム６の相互間に、アーチ状の弾性片８が配置されている。弾性片８は、横方向に間隔を空けて配置された２つの基部８ａが第２部材４と一体に設けられている。また、弾性片７は、同図に示すように、固定部材Ｍの下端を支持する梁部８ｂを有し、この梁部８ｂが２つの基部８ａに一体に掛け渡されている。梁部８ｂは、同図に示すように、固定部材Ｍをアーム６との間で押圧する。これにより、同図の符号Ｐに示すように、本形態では、２つのアーム６と１つの弾性片８との、３点で支持されることで、固定部材Ｍに対して吊り下げ支持される。
【００４２】
なお、梁部８ｂは、本形態のように、隙間Ｓに向かって上方に隆起する湾曲形状とすることが好ましいが、これに限定されるものではない。例えば、梁部８ｂは、平坦にすることもでき、更には、周壁４ａに向かって下方に隆起する湾曲形状とすることもできる。
【００４３】
本発明によれば、揮散剤として、防虫剤以外にも、芳香剤、消臭剤や防黴剤などを採用することができるが、上述したところからも明らかなように、本発明は、揮散剤が防虫剤であるときに特に有効である。
【００４４】
上述したところは、本発明の一形態を示したにすぎず、特許請求の範囲において、種々の変更を加えることができる。例えば、インジケータ収納部５は、本形態のように、第１部材３の側壁３ａに配置することで、ハンガーパイプ等の固定部材Ｍに吊り下げた状態で、インジケータシートＳ2を容易に視認することができるが、第１部材３と一体に設けるのであれば、様々な位置に設けることができる。また、第１部材３を透明又は半透明にすれば、開口部Ａ3を形成することなく、インジケータシートＳ2を視認することができる。第１部材３に、防虫剤シートＳ1を保持する手段としては突起部以外の既存の手段を採用することができる。更に、各形態の構成中に採用される要素は、適宜、転用等を行うことができる。
【産業上の利用可能性】
【００４５】
本発明は、先端に向かうに従って互いに接近する２つのアームを有して、当該アームの相互間に形成された最小の隙間を押し開いて挿し込まれた固定部材に、揮散剤を収納する容器本体を吊り下げ保持し、アームの相互間に、弾性片を設ける吊り下げ式揮散剤用容器であれば、様々なものに採用することができる。
【符号の説明】
【００４６】
１    吊り下げ式防虫剤用容器
２    容器本体
３    第１部材（第１の部材）
４    第２部材（第２の部材）
５    インジケータ収納部
６    フック
６ａ  フック本体
６ｂ  補強リブ
７  弾性片
７ａ  基部
７ｂ  折り返し部
８    弾性片
８ａ  基部
８ｂ  梁部
Ｓ1   防虫剤シート
Ｓ2   インジケータシート
【図１】
0005558381.tif 000002
【図２】
0005558381.tif 000003
【図３】
0005558381.tif 000004
【図４】
0005558381.tif 000005
【図５】
0005558381.tif 000006
【図６】
0005558381.tif 000007
【図７】
0005558381.tif 000008
【図８】
0005558381.tif 000009